(57)【要約】【課題】鋳物部を鋳込む際に挿入された中子を容易に引き抜くことができる鋳ぐるみ部材及びその製造方法を提供する。【解決手段】筒状のパイプ部25の一端側を鋳ぐるんで鋳物部26を形成する。パイプ部25には、鋳物部26により鋳ぐるむ一端側に、先端側に向かって徐々に縮小するテーパ部32を形成する。鋳物部26を鋳込む際にパイプ部25に挿入した中子に対して、鋳物部26の成形収縮に起因してパイプ部25が縮小により食い付くことを抑制できる。鋳物部26の成形後に中子を容易に引き抜くことができる。【選択図】図１
2017192964.tif 000002
【特許請求の範囲】
【請求項１】
筒状に形成された金属製のインサート部材と、
このインサート部材の一端側を鋳ぐるむ金属製の鋳物部とを具備し、
前記インサート部材は、前記鋳物部により鋳ぐるまれた一端側に、先端側に向かって徐々に縮小するテーパ部を備えた
ことを特徴とする鋳ぐるみ部材。
【請求項２】
テーパ部の先端部は、鋳物部に埋め込まれるアンカ部である
ことを特徴とする請求項１記載の鋳ぐるみ部材。
【請求項３】
インサート部材は、テーパ部の内部を閉塞する内蓋部を備えた
ことを特徴とする請求項１または２記載の鋳ぐるみ部材。
【請求項４】
筒状の金属製のインサート部材の一端側を、先端側に向かって徐々に縮小するテーパ部として形成し、
このインサート部材の他端部から中子を挿入した状態でこのインサート部材のテーパ部を成形型のキャビティにインサートし、このキャビティに金属材料を充填して前記テーパ部を鋳ぐるむ鋳物部を形成する
ことを特徴とする鋳ぐるみ部材の製造方法。
【請求項５】
鋳物部を形成する際に、中子の先端部をインサート部材の一端部に対して他端側に位置するように挿入した状態とすることで、テーパ部の先端部に金属材料を流し込ませて、テーパ部の先端部を鋳物部に埋め込むアンカ部とする
ことを特徴とする請求項４記載の鋳ぐるみ部材の製造方法。
【請求項６】
インサート部材にテーパ部の内部を閉塞する内蓋部を形成する
ことを特徴とする請求項４または５記載の鋳ぐるみ部材の製造方法。
【発明の詳細な説明】
【技術分野】
【０００１】
本発明は、インサート部材の一端側を鋳物部により鋳ぐるむ鋳ぐるみ部材及びその製造方法に関する。
【背景技術】
【０００２】
従来、自動車の車室前部には、インストルメントパネル部が設けられており、このインストルメントパネル部内には、車幅方向に長尺状のステアリングハンガービームが取り付けられている。このステアリングハンガービームは、運転席のハンドルと接続される操縦装置であるステアリングシャフト、及び、インストルメントパネル部に備えられるエアバッグ装置などを車体側に取り付けるもので、左右両側のフロントピラー間に亘って配置されている。
【０００３】
このようなステアリングハンガービームとして、軽量化を目的として、一部のみを鋼鉄製などとし、残りの他の部分をアルミニウムやマグネシウムなどの軽金属材料により形成するものがある。この場合、鋼鉄部分と軽金属部分とを溶接すると手間が掛かり安価に製造できないことにより、鋼鉄部分をインサート部材として、このインサート部材の一端部を軽金属によって鋳ぐるむ構成が採用される（例えば、特許文献１参照。）。
【先行技術文献】
【特許文献】
【０００４】
【特許文献１】特開２０１２−１０１２６６号公報  （第５頁、図３−４）
【発明の概要】
【発明が解決しようとする課題】
【０００５】
上記のように製造する際には、インサート部材の内部に溶融金属が入り込まないように、インサート部材の他端からこのインサート部材の内部に挿入する中子を設定する必要がある。この場合、インサート部材の内面と中子とが直接接触することから、鋳物部の凝固収縮に伴うインサート部材の縮管により、中子とインサート部材とが食い付き、中子を外せなくなるおそれがある。
【０００６】
本発明は、このような点に鑑みなされたもので、鋳物部を鋳込む際に挿入された中子を容易に引き抜くことができる鋳ぐるみ部材及びその製造方法を提供することを目的とする。
【課題を解決するための手段】
【０００７】
請求項１記載の鋳ぐるみ部材は、筒状に形成された金属製のインサート部材と、このインサート部材の一端側を鋳ぐるむ金属製の鋳物部とを具備し、前記インサート部材は、前記鋳物部により鋳ぐるまれた一端側に、先端側に向かって徐々に縮小するテーパ部を備えたものである。
【０００８】
請求項２記載の鋳ぐるみ部材は、請求項１記載の鋳ぐるみ部材において、テーパ部の先端部は、鋳物部に埋め込まれるアンカ部であるものである。
【０００９】
請求項３記載の鋳ぐるみ部材は、請求項１または２記載の鋳ぐるみ部材において、インサート部材は、テーパ部の内部を閉塞する内蓋部を備えたものである。
【００１０】
請求項４記載の鋳ぐるみ部材の製造方法は、筒状の金属製のインサート部材の一端側を、先端側に向かって徐々に縮小するテーパ部として形成し、このインサート部材の他端部から中子を挿入した状態でこのインサート部材のテーパ部を成形型のキャビティにインサートし、このキャビティに金属材料を充填して前記テーパ部を鋳ぐるむ鋳物部を形成するものである。
【００１１】
請求項５記載の鋳ぐるみ部材の製造方法は、請求項４記載の鋳ぐるみ部材の製造方法において、鋳物部を形成する際に、中子の先端部をインサート部材の一端部に対して他端側に位置するように挿入した状態とすることで、テーパ部の先端部に金属材料を流し込ませて、テーパ部の先端部を鋳物部に埋め込むアンカ部とするものである。
【００１２】
請求項６記載の鋳ぐるみ部材の製造方法は、請求項４または５記載の鋳ぐるみ部材の製造方法において、インサート部材にテーパ部の内部を閉塞する内蓋部を形成するものである。
【発明の効果】
【００１３】
請求項１記載の鋳ぐるみ部材によれば、インサート部材の鋳物部により鋳ぐるまれる一端側に、先端側に向かって徐々に縮小するテーパ部を形成することにより、鋳物部を鋳込む際にインサート部材に挿入された中子に対する、鋳物部の成形収縮に起因するインサート部材の縮小による食い付きを抑制でき、鋳物部の成形後に中子を容易に引き抜くことができる。
【００１４】
請求項２記載の鋳ぐるみ部材によれば、請求項１記載の鋳ぐるみ部材の効果に加えて、テーパ部の先端部を、鋳物部に埋め込むアンカ部とすることにより、鋳物部に対するインサート部材の抜け強度を向上できる。
【００１５】
請求項３記載の鋳ぐるみ部材によれば、請求項１または２記載の鋳ぐるみ部材の効果に加えて、インサート部材にテーパ部の内部を閉塞する内蓋部を設けることにより、インサート部材のテーパ部での縮小に対する剛性を向上できるので、鋳物部の成形収縮に起因するインサート部材の縮小による中子に対する食い付きをより確実に抑制できる。
【００１６】
請求項４記載の鋳ぐるみ部材の製造方法によれば、筒状の金属製のインサート部材の一端側を、先端側に向かって徐々に縮小するテーパ部として形成することにより、このインサート部材の他端部から中子を挿入した状態でこのインサート部材のテーパ部をインサートした成形型のキャビティに金属材料を充填してテーパ部を鋳ぐるむ鋳物部を形成することで、鋳物部の成形収縮に起因するインサート部材の縮小による中子に対する食い付きを抑制でき、鋳物部の成形後に中子を容易に引き抜くことができる。
【００１７】
請求項５記載の鋳ぐるみ部材の製造方法によれば、請求項４記載の鋳ぐるみ部材の製造方法の効果に加えて、鋳物部を形成する際に、中子の先端部をインサート部材の一端部に対して他端側に位置するように挿入した状態とすることにより、テーパ部の先端部に金属材料を流し込ませて、テーパ部の先端部を鋳物部に埋め込むアンカ部とすることで、鋳物部に対するインサート部材の抜け強度を向上できる。
【００１８】
請求項６記載の鋳ぐるみ部材の製造方法によれば、請求項４または５記載の鋳ぐるみ部材の製造方法の効果に加えて、インサート部材にテーパ部の内部を閉塞する内蓋部を設けることにより、インサート部材のテーパ部での縮小に対する剛性を向上できるので、鋳物部の成形収縮に起因するインサート部材の縮小による中子に対する食い付きをより確実に抑制できる。
【図面の簡単な説明】
【００１９】
【図１】（ａ）は本発明の第１の実施の形態の鋳ぐるみ部材を示す横断平面図、（ｂ）は同上鋳ぐるみ部材を示す正面図である。
【図２】同上鋳ぐるみ部材を備える車体構造部品を示す斜視図である。
【図３】同上鋳ぐるみ部材の製造方法（ａ）ないし（ｄ）の順に示す横断平面図である。
【図４】本発明の第２の実施の形態の鋳ぐるみ部材を示す横断平面図である。
【図５】同上鋳ぐるみ部材の製造方法（ａ）ないし（ｄ）の順に示す横断平面図である。
【図６】本発明の第３の実施の形態の鋳ぐるみ部材を示す正面図である。
【図７】本発明の第４の実施の形態の鋳ぐるみ部材を示す正面図である。
【発明を実施するための形態】
【００２０】
以下、本発明の第１の実施の形態の構成を、図面を参照して説明する。
【００２１】
図２において、11は車体構造部品であるステアリングハンガービームを示し、このステアリングハンガービーム11は、ステアリングメンバなどとも呼ばれるもので、車体の図示しないインストルメントパネル部の内部に、車幅方向に沿って配置されている。
【００２２】
そして、このステアリングハンガービーム11は、長尺状のビーム本体15と、このビーム本体15の両端部に設けられるサイドブラケット16，16と、このビーム本体15から下方に向けて突出する支持ブラケット17，17と、ビーム本体15から後方に向けて突出するステアリング支持部18，18とを備えている。なお、本実施の形態のステアリングハンガービーム11としては、運転席が車体の左側に位置する、いわゆる左ハンドル用のものを図示するが、左右反転して構成することで右ハンドル用のものにも対応できる。また、以下、上下方向や左右方向などの方向については、車両の直進状態を基準とする。
【００２３】
ビーム本体15は、メインパイプなどとも呼ばれるもので、略円筒状に形成されている。このビーム本体15は、長手方向（軸方向）の一端側に位置する鋳ぐるみ部材としての第１本体部（一端側本体部）21と、長手方向（軸方向）の他端側に位置する被接続部としての第２本体部（他端側本体部）22とが例えば溶接により同軸状に接続されて構成されている。
【００２４】
第１本体部21は、インサート部材としてのパイプ部（筒体）25と、鋳物部（ブラケット部材）26とが一体的に成形されて略円筒状に設けられている。
【００２５】
パイプ部25は、金属材料、本実施の形態では鋼鉄により円筒状（図１（ｂ））に成形されている。このパイプ部25は、図１（ａ）に示すように、円筒状のインサート部材本体としてのパイプ部本体31と、このパイプ部本体31と連続するテーパ部32とを一体に備えている。
【００２６】
パイプ部本体31は、パイプ部25の他端側を構成するもので、直管状に形成され、両端部間が貫通している。すなわち、このパイプ部本体31は、径寸法が略一定に設定されている。このパイプ部本体31は、第１本体部21と第２本体部22とを連結する連結部となっている。また、このパイプ部本体31は、鋳物部26に覆われておらず露出している。さらに、このパイプ部本体31の一端側には、テーパ部32が連続している。また、このパイプ部本体31の他端側は、第２本体部22の一端部に例えば溶接などにより連結されている。
【００２７】
テーパ部32は、パイプ部25の一端側を構成するもので、パイプ部本体31側である基端側からその反対側である先端側（鋳物部26側）に向かって徐々に縮小、本実施の形態では縮径するように形成されている（縮管されている）。このテーパ部32は、本実施の形態において、基端部から先端部まで略一定の傾斜となるように形成されている。すなわち、このテーパ部32は、截頭円錐筒形状となっている。また、このテーパ部32は、鋳物部26にインサートされるインサート部であり、少なくとも外側が鋳物部26により覆われていて外部に露出していない。
【００２８】
一方、鋳物部26は、パイプ部25を構成する金属材料とは異なる金属材料、本実施の形態では軽金属材料であるマグネシウムにより円筒状に成形されている。この鋳物部26は、パイプ部25（パイプ部本体31）よりも外径寸法が大きい円筒状に形成されている。また、この鋳物部26は、パイプ部25の一端部の内部に一部が入り込んで形成されている。換言すれば、鋳物部26は、パイプ部25の内部に位置する突出部26aを備えている。したがって、この突出部26aは、パイプ部25のテーパ部32の内面に沿って、パイプ部25（テーパ部32）内方すなわち他端側に向かって徐々に拡大（拡径）されるように形成されている。このため、パイプ部25のテーパ部32の先端部は、鋳物部26に対して埋め込まれて内面及び外面がそれぞれ鋳物部26により覆われるアンカ部32aとなっている。
【００２９】
図２に戻って、第２本体部22は、例えば鋼鉄、すなわちパイプ部25と同一の金属材料により鋳造されて略円筒状に設けられている。
【００３０】
サイドブラケット16，16は、ステアリングハンガービーム11を車体の図示しないフロントピラー間に固定するものである。なお、これらサイドブラケット16，16は、本実施の形態では、例えば一方が第１本体部21（鋳物部26）と一体に成形され、他方が第２本体部22と一体に成形されている。なお。これらサイドブラケット16，16は、ビーム本体15と別体で成形されて溶接などによりで一体化されてもよい。
【００３１】
各支持ブラケット17は、ステアリングハンガービーム11を車体フロアなどに固定するものである。例えば本実施の形態では、一の支持ブラケット17がビーム本体15の長手方向の中央部にて第２本体部22に突設され、他の支持ブラケット17がサイドブラケット16の近傍にて第２本体部22に突設されている。したがって、各支持ブラケット17は、第２本体部22と同一の金属材料により形成されている。なお、これら支持ブラケット17は、ビーム本体15（第２本体部22）と予め一体に成形されてもよいし、ビーム本体15（第２本体部22）と同一または異なる金属材料により別体で成形されて溶接などにより一体化されてもよい。
【００３２】
ステアリング支持部18，18は、運転席に配置されるハンドルであるステアリングホイール及びこのステアリングホイールに接続される操縦装置であるステアリングシャフト（ステアリングコラムシャフト）などを含むステアリング装置と図示しない車体側部材との間に亘って位置し、ステアリング装置を支持して車体側部材に固定するものである。これらステアリング支持部18，18は、例えばビーム本体15の第１本体部21（鋳物部26）に互いに離間されて突設されている。したがって、これらステアリング支持部18，18は、鋳物部26と同一の金属材料により形成されている。なお、これらステアリング支持部18，18は、ビーム本体15（第１本体部21（鋳物部26））と予め一体に成形されてもよいし、ビーム本体15（第１本体部21（鋳物部26））と同一または異なる金属材料により別体で成形されて溶接などにより一体化されてもよい。
【００３３】
次に、上記の第１の実施の形態の製造方法を説明する。
【００３４】
ステアリングハンガービーム11は、概略として、第１本体部21と第２本体部22とを別個に成形し、第１本体部21のパイプ部25の端部を第２本体部22の端部と溶接などにより連結して製造される。
【００３５】
第１本体部21を成形する際には、まず、予め筒状のパイプ部25の一端側を、先端側に向かって縮小するテーパ部32として形成する（形成工程）。
【００３６】
次いで、図３（ａ）に示す中子35を用い、このパイプ部25の他端部、すなわちパイプ部本体31側から中子35を挿入する（挿入工程）。この中子35は、溶融した金属材料36（図３（ｂ））がパイプ部25の内部に所定以上入り込まないようにする、換言すれば、鋳物部26（図１（ａ））のパイプ部25の内部での形状を設定するものである。この中子35は、耐熱性を有する金属などの材料により、パイプ部25の内面に嵌合する形状、すなわち先端部35aがテーパ部32の内面に沿って基端側から先端側へと徐々に縮小（縮径）される柱状（円柱状）に形成されている。そして、この中子35は、パイプ部25に挿入した状態で、この先端部35aがパイプ部25（テーパ部32）の先端部に対して基端側に離間した位置とする。
【００３７】
さらに、成形型37，37を用い、中子35を挿入したパイプ部25のテーパ部32のみを、成形型37，37間のキャビティ38にインサートする（インサート工程）。
【００３８】
この状態で、図３（ｂ）に示すように、キャビティ38に、パイプ部25を構成する金属材料と異なり鋳物部26（図１（ａ））を構成するための溶融した金属材料（マグネシウム）36を充填する（充填工程）。このとき、金属材料36は、パイプ部25の外面とキャビティ38との間に流れ込むとともに、中子35の先端部35aがパイプ部25の先端部から他端側に離間されるように位置していることにより、一部がパイプ部25の先端部からテーパ部32の内部に流れ込み、中子35の先端部35aと接触した状態となる。
【００３９】
そして、この金属材料36を冷却することにより凝固させて、図３（ｃ）に示すように、パイプ部25のテーパ部32を鋳ぐるんで鋳物部26を形成する（凝固工程）。このとき、パイプ部25のテーパ部32の先端側に入り込んだ金属材料36（図３（ｂ））が冷却されることで、鋳物部26の一部が、テーパ部32の内面を覆う突出部26aとなり、テーパ部32の先端部が鋳物部26に埋め込まれたアンカ部32aとして形成される。また、パイプ部25のテーパ部32は、金属材料36（図３（ｂ））の凝固収縮に伴い若干の径方向（中心軸に向かう方向）への縮小（縮管）が生じる。
【００４０】
この後、成形型37，37を開き、図３（ｄ）に示すように中子35をパイプ部25の他端部（パイプ部本体31）から引き抜く（引き抜き工程）。このとき、本実施の形態によれば、パイプ部25の一端側に、先端側に向かって徐々に縮小するテーパ部32を形成していることにより、このパイプ部25の他端部から中子35を挿入した状態でこのパイプ部25のテーパ部32をインサートした成形型37，37のキャビティ38に金属材料36（図３（ｂ））を充填してテーパ部32を鋳ぐるむ鋳物部26を形成することで、中子35の挿入方向に対して反対方向に徐々に拡大するテーパ部32によって、鋳物部26を鋳込む際にパイプ部25に挿入された中子35に対する、鋳物部26の成形収縮に起因するパイプ部25の縮小による中子35への食い付きを抑制でき、鋳物部26の成形後に中子35をパイプ部25から容易に引き抜くことができる。したがって、第１本体部21を成形型37，37から容易に取り外すことができる。
【００４１】
また、鋳物部26を形成する際に、中子35の先端部35aをパイプ部25の一端部に対して他端側に位置するように挿入した状態とすることにより、テーパ部32の先端部に金属材料36（図３（ｂ））を流し込ませて、テーパ部32の先端部を、鋳物部26に埋め込むアンカ部32aとすることができ、鋳物部26のテーパ部32内に入り込んだ突出部26aが抜け方向に対してテーパ部32の先端側に引っ掛かるように位置し、鋳物部26に対するパイプ部25の抜け強度を向上できる。
【００４２】
そして、成形型37，37及び中子35は、シンプルな構造とすることができ、容易なインサート鋳造が可能となる。
【００４３】
次に、第２の実施の形態を図４及び図５を参照して説明する。なお、上記の第１の実施の形態と同様の構成及び作用については、同一符号を付してその説明を省略する。
【００４４】
本実施の形態は、上記の第１の実施の形態の第１本体部21のパイプ部25が、図４に示すように内蓋部41を備えるものである。
【００４５】
この内蓋部41は、テーパ部32の内部に配置されており、このテーパ部32を閉塞して、すなわちこのテーパ部32（パイプ部25）の軸方向に対して交差（直交）する方向に沿って形成されている。したがって、この内蓋部41は、テーパ部32（パイプ部25）を横切って形成されている。このため、パイプ部25は、両端部間が貫通しないように形成されている。本実施の形態において、この内蓋部41は、テーパ部32の長手方向（軸方向）の両端間で、テーパ部32の先端側寄りに位置している。すなわち、この内蓋部41は、テーパ部32の基端部及び先端部からそれぞれ離間された位置に配置されている。この内蓋部41は、パイプ部25と一体に成形されていてもよいし、このパイプ部25と別体で成形されて溶接などにより一体化されていてもよい。
【００４６】
そして、この第１本体部21を製造する際には、上記の第１の実施の形態と同様に、まず、予め筒状のパイプ部25の一端側を、先端側に向かって縮小するテーパ部32として形成するとともにこのテーパ部32の内部に内蓋部41を形成し（形成工程）、このパイプ部25の他端部、すなわちパイプ部本体31側から、図５（ａ）に示す中子35を挿入する（挿入工程）。この中子35は、先端部35aを内蓋部41に当接させた位置とする。
【００４７】
次いで、成形型37，37を用い、中子35を挿入したパイプ部25のテーパ部32のみを、成形型37，37間のキャビティ38にインサートする（インサート工程）。
【００４８】
この状態で、図５（ｂ）に示すように、キャビティ38に、パイプ部25を構成する金属材料と異なり鋳物部26（図４）を構成するための溶融した金属材料（マグネシウム）36を充填する（充填工程）。このとき、金属材料36は、一部がパイプ部25の先端部からテーパ部32の内部に流れ込み、内蓋部41と接触した状態となる。
【００４９】
そして、この金属材料36を冷却することにより凝固させて、図５（ｃ）に示すように、パイプ部25のテーパ部32を鋳ぐるんで鋳物部26を形成する（凝固工程）。このとき、パイプ部25のテーパ部32の先端側に入り込んだ金属材料36（図５（ｂ））が冷却されることで、鋳物部26の一部が、テーパ部32の内面を覆い内蓋部41と接触する突出部26aとなり、テーパ部32の先端部が鋳物部26に埋め込まれたアンカ部32aとして形成される。
【００５０】
この後、成形型37，37を開き、図５（ｄ）に示すように中子35をパイプ部25の他端部（パイプ部本体31）から引き抜く（引き抜き工程）。
【００５１】
このとき、パイプ部25の鋳物部26により鋳ぐるまれる一端側に、先端側に向かって徐々に縮小するテーパ部32を形成し、また、テーパ部32の先端部を、鋳物部26に埋め込むアンカ部32aとするなど、上記の第１の実施の形態と同様の構成を有することにより、上記の第１の実施の形態と同様の作用効果を奏することができる。
【００５２】
また、パイプ部25にテーパ部32の内部を閉塞する内蓋部41を設けることにより、パイプ部25のテーパ部32での縮小（縮管）に対する剛性を向上できるので、鋳物部26の成形収縮に起因するパイプ部25の縮小による中子35に対する食い付きをより確実に抑制できる。
【００５３】
なお、上記の各実施の形態において、例えば図６に示す第３の実施の形態のように、パイプ部25は、六角筒状としてもよいし、図７に示す第４の実施の形態のように、四角筒状としてもよい。すなわち、パイプ部25の断面形状は、任意の多角形状とすることもできる。
【００５４】
また、中子35は、成形型37と一体に形成することもできる。
【００５５】
さらに、上記の各実施の形態の構成は、車体構造部品（ステアリングハンガービーム11）だけでなく、その他の任意の鋳ぐるみ部材に適用できる。
【産業上の利用可能性】
【００５６】
本発明は、例えばステアリングハンガービームの少なくとも一部に好適に用いることができる。
【符号の説明】
【００５７】
21    鋳ぐるみ部材としての第１本体部
25    インサート部材としてのパイプ部
26    鋳物部
32    テーパ部
32a   アンカ部
35    中子
35a   先端部
36    金属材料
37    成形型
38    キャビティ
41    内蓋部
【図１】
2017192964.tif 000003
【図２】
2017192964.tif 000004
【図３】
2017192964.tif 000005
【図４】
2017192964.tif 000006
【図５】
2017192964.tif 000007
【図６】
2017192964.tif 000008
【図７】
2017192964.tif 000009